(57)【特許請求の範囲】
【請求項１】
土台としての主枠に支持固定され、無端状に連結されて乗り口と降り口との間を循環移動する複数の踏段の両側に立設された欄干パネル、上記踏段の両側面のそれぞれと隙間を介して対向して配設されたスカートガード、上記主枠に固定されて上記スカートガードの上縁側を支持するスカートガード支持体、一方の縁部が上記欄干パネルの下部側に接続され、他方の縁部が上記スカートガードの上縁との間に照射口を形成するように配設された内デッキ、及び上記照射口から上記踏段を照らすスカート照明装置を有する乗客コンベアにおいて、
上記スカートガードの上縁側の裏面との間に下部挿入空間部を形成するように配設された空間部形成部材と、
上記内デッキの他方の縁部側の裏面に配設され、溝方向を上記踏段の移動方向とする差込溝部を有するクリップ体と、を備え、
上記クリップ体は、上記内デッキの他方の縁部側の裏面から突出され、該クリップ体に挿通されたクリップ体支持ボルト及び該クリップ体支持ボルトに螺着されたクリップ体支持ナット、又は接着剤により上記内デッキの他方の縁部側の裏面に固定され、
上記スカート照明装置は、上記主枠に支持され、上記照射口に向けて開口する開放部を有するケース本体、及び該ケース本体から上方に延出されて上記差込溝部に挿入され、かつ、上記内デッキの他方の縁部側の裏面との間に上部挿入空間部を形成する取付部を有する照明ケースと、
上記ケース本体の内部に配設され、上記照射口に向かって発光する発光体と、
上部縁部及び下部縁部のそれぞれが上記上部挿入空間部及び上記下部挿入空間部のそれぞれに挿入され、上記照射口を塞口する透光性のカバー本体を有する照明カバーと、
を備えることを特徴とする乗客コンベア。
【請求項２】
土台としての主枠に支持固定され、無端状に連結されて乗り口と降り口との間を循環移動する複数の踏段の両側に立設された欄干パネル、上記踏段の両側面のそれぞれと隙間を介して対向して配設されたスカートガード、上記主枠に固定されて上記スカートガードの上縁側を支持するスカートガード支持体、一方の縁部が上記欄干パネルの下部側に接続され、他方の縁部が上記スカートガードの上縁との間に照射口を形成するように配設された内デッキ、及び上記照射口から上記踏段を照らすスカート照明装置を有する乗客コンベアにおいて、
上記スカートガードの上縁側の裏面との間に下部挿入空間部を形成するように配設された空間部形成部材と、
上記内デッキの他方の縁部側の裏面に配設され、溝方向を上記踏段の移動方向とする差込溝部を有するクリップ体と、を備え、
上記クリップ体は、上記内デッキの他方の縁部側の裏面から突出され、該クリップ体に挿通されたクリップ体支持ボルト及び該クリップ体支持ボルトに螺着されたクリップ体支持ナット、又は接着剤により上記内デッキの他方の縁部側の裏面に固定され、
上記スカート照明装置は、上記主枠に支持され、上記照射口に向けて開口する開放部を有するケース本体、及び該ケース本体から上方に延出されて上記差込溝部に挿入され、かつ、上記内デッキの他方の縁部側の裏面との間に上部挿入空間部を形成する取付部を有する照明ケースと、
上記ケース本体の内部に配設され、上記照射口に向かって発光する発光体と、
上部縁部及び下部縁部のそれぞれが上記上部挿入空間部及び上記下部挿入空間部のそれぞれに挿入され、上記照射口を塞口する透光性のカバー本体を有する照明カバーと、
上記踏段の移動方向に所定の間隔で、上記カバー本体に向けて突出するように、かつ、上記踏段の移動方向に移動可能に上記ケース本体の上面に配設され、突出端に嵌合凹部が形成されたカバー位置決め部材と、を備え、
上記照明カバーは、上記カバー本体の上記踏段の移動方向の一方の縁部から上記踏段の移動方向に延出するように、かつ、上記上部縁部から上記下部縁部に至るように上記カバー本体の裏面に固定された嵌合部材を有し、
上記照明カバーは、上記嵌合部材が上記嵌合凹部それぞれに嵌合されて、隣接する上記カバー本体間に所定の隙間をあけて上記踏段の移動方向に配列され、かつ、上記嵌合部材が上記所定の隙間を覆っていることを特徴とする乗客コンベア。
【請求項３】
土台としての主枠に支持固定され、無端状に連結されて乗り口と降り口との間を循環移動する複数の踏段の両側に立設された欄干パネル、上記踏段の両側面のそれぞれと隙間を介して対向して配設されたスカートガード、上記主枠に固定されて上記スカートガードの上縁側を支持するスカートガード支持体、一方の縁部が上記欄干パネルの下部側に接続され、他方の縁部が上記スカートガードの上縁との間に照射口を形成するように配設された内デッキ、及び上記照射口から上記踏段を照らすスカート照明装置を有する乗客コンベアにおいて、
上記スカートガードの上縁側の裏面との間に下部挿入空間部を形成するように配設された空間部形成部材と、
上記内デッキの他方の縁部側の裏面に配設され、該内デッキの他方の縁部側の裏面との間に溝方向を上記踏段の移動方向とする差込溝部を形成するクリップ体と、を備え、
上記クリップ体は、上記内デッキの他方の縁部側の裏面から突出され、該クリップ体に挿通されたクリップ体支持ボルト及び該クリップ体支持ボルトに螺着されたクリップ体支持ナット、又は接着剤により上記内デッキの他方の縁部側の裏面に固定され、
上記スカート照明装置は、上記主枠に支持され、上記照射口に向けて開口する開放部を有するケース本体、及び該ケース本体から上方に延出されて上記差込溝部に挿入される取付部を有する照明ケースと、
上記ケース本体の内部に配設され、上記照射口に向かって発光する発光体と、
上部縁部が上記取付部とともに上記差込溝部に挿入され、下部縁部が上記下部挿入空間部に挿入されて上記照射口を塞口する透光性のカバー本体を有する照明カバーと、
上記踏段の移動方向に所定の間隔で、上記カバー本体に向けて突出するように、かつ、上記踏段の移動方向に移動可能に上記ケース本体の上面に配設され、突出端に嵌合凹部が形成されたカバー位置決め部材と、を備え、
上記照明カバーは、上記カバー本体の上記踏段の移動方向の一方の縁部から上記踏段の移動方向に延出するように、かつ、上記上部縁部から上記下部縁部に至るように上記カバー本体の裏面に固定された嵌合部材を有し、
上記照明カバーは、上記嵌合部材が上記嵌合凹部それぞれに嵌合されて、隣接する上記カバー本体間に所定の隙間をあけて上記踏段の移動方向に配列され、かつ、上記嵌合部材が上記所定の隙間を覆っていることを特徴とする乗客コンベア。
【請求項４】
上記スカートガードの上縁側は、該スカートガードの上縁側の裏面から突出され、上記スカートガード支持体の上縁に開口する割り穴に挿通されたスカートガード支持ボルト及び該スカートガード支持ボルトに螺着されたスカートガード支持ナットにより上記スカートガード支持体に支持されていることを特徴とする請求項１乃至請求項３のいずれか１項に記載の乗客コンベア。
【請求項５】
上記カバー本体は、上記上部縁部側と上記下部縁部側との間に、該上部縁部側及び該下部縁部側より厚く形成された中間部と、上記上部縁部側と上記中間部との間を所定の角度で接続する傾斜部と、を有し、
上記傾斜部の上縁が上記内デッキの他方の縁部の下方間近に配置されていることを特徴とする請求項１乃至請求項４のいずれか１項に記載の乗客コンベア。
【発明の詳細な説明】
【技術分野】
【０００１】
この発明は踏段を照らすスカート照明装置を有する乗客コンベアに関する。
【背景技術】
【０００２】
従来のエスカレータ装置は、土台としての主枠に支持固定され、踏段の両側に立設された欄干パネルと、踏段の側面に隙間を介して対向して設けられた板状のスカートガードと、スカートガードの上縁部に設けられ、踏段側を照らす照明体と、一方の縁部が欄干パネルに接続され、他方の縁部が照明体に接続されて、照明体の上方で照明体を覆うように設けられた内デッキとを備え、照明体は、発光して周囲を照らす照明灯と、照明灯が内部に設けられ、踏段側に開放部を有する照明ケースと、開放部に設けられた透光性の照明カバーとを有し、照明ケースは、主枠に固定されるとともに、内デッキ及びスカートガードを支持するようになっている。
【０００３】
このとき、照明体と内デッキとの接続は、下部を主枠に固定された照明ケースの上縁と内デッキの他方の縁部とを共締めするねじによってなされている。そして、ねじはその軸方向を踏段の横幅方向に合わせ、かつ、頭部が踏段側に露出するように螺合されていた（例えば、特許文献１参照）。
【０００４】
【特許文献１】特開２００３−２０１８３号公報
【発明の開示】
【発明が解決しようとする課題】
【０００５】
しかしながら、従来のエスカレータ装置は、ねじの頭部が踏段側に露出しているので、ねじが緩むなどした場合には、ねじの頭部が踏段上方の空間に突出する。これにより、踏段に乗った乗客の荷物などが、突出するねじに引っかかってしまう問題があった。
【０００６】
この発明は、上記の問題を解決するためになされたものであり、踏段を照らすスカート照明装置の配設が、踏段側に頭部が露出するねじを用いることなしに行える乗客コンベアを得ることを目的とする。
【課題を解決するための手段】
【０００７】
この発明は、土台としての主枠に支持固定され、無端状に連結されて乗り口と降り口との間を循環移動する複数の踏段の両側に立設された欄干パネル、踏段の両側面のそれぞれと隙間を介して対向して配設されたスカートガード、主枠に固定されてスカートガードの上縁側を支持するスカートガード支持体、一方の縁部が欄干パネルの下部側に接続され、他方の縁部がスカートガードの上縁との間に照射口を形成するように配設された内デッキ、及び照射口から踏段を照らすスカート照明装置を有する乗客コンベアにおいて、スカートガードの上縁側の裏面との間に下部挿入空間部を形成するように配設された空間部形成部材と、内デッキの他方の縁部側の裏面に配設され、溝方向を踏段の移動方向とする差込溝部を有するクリップ体と、を備え、クリップ体は、内デッキの他方の縁部側の裏面から突出され、クリップ体に挿通されたクリップ体支持ボルト及びクリップ体支持ボルトに螺着されたクリップ体支持ナット、又は接着剤により内デッキの他方の縁部側の裏面に固定され、スカート照明装置は、主枠に支持され、照射口に向けて開口する開放部を有するケース本体、及びケース本体から上方に延出されて差込溝部に挿入され、かつ、内デッキの他方の縁部側の裏面との間に上部挿入空間部を形成する取付部を有する照明ケースと、ケース本体の内部に配設され、照射口に向かって発光する発光体と、上部縁部及び下部縁部のそれぞれが上部挿入空間部及び下部挿入空間部のそれぞれに挿入され、照射口を塞口する透光性のカバー本体を有する照明カバーと、を備えている。
【発明の効果】
【０００８】
この発明によれば、踏段を照らすスカート照明装置の配設が、踏段側に頭部が露出するねじを用いることなしに行えるので、踏段に乗った乗客の荷物などがねじに引っかかることを未然に防止できる。
【発明を実施するための最良の形態】
【０００９】
以下、この発明を実施するための最良の形態について、図面を参照して説明する。
実施の形態１．
図１はこの発明の実施の形態１に係るエスカレータの斜視図、図２は図１のＩＩ−ＩＩ矢視断面図、図３は図２のＩＩＩ−ＩＩＩ矢視断面図、図４は図３のＩＶ−ＩＶ矢視断面図、図５はこの発明の実施の形態１に係るエスカレータのスカートガードの着脱方法を説明する断面図、図６はこの発明の実施の形態１に係るエスカレータの照明カバーの取付方法を説明する断面図、図７はこの発明の実施の形態１に係るエスカレータの内デッキの着脱方法を説明する断面図である。
【００１０】
図１において、エスカレータ１Ａは、主枠２、複数の踏段３、スカートガード４、一対の欄干６、一対の移動手摺９、内デッキ１０、及びスカート照明装置２１を有している。
主枠２はトラス構造と称される中空体に形成され、上階側の床に配設された建築梁（図示せず）と下階側の床に配設された建築梁（図示せず）との間に架設されてエスカレータの各構成の荷重及び積載荷重を支えている。
複数の踏段３のそれぞれは無端状に連結されて乗り口及び降り口間を循環移動し、乗客や物を乗り口から降り口に運搬している。
【００１１】
また、スカートガード４は、平板状に形成された複数のスカートガード単体５により構成され、複数のスカートガード単体５のそれぞれが、踏段３の両側面のそれぞれと僅かな隙間をあけて相対し、乗り口側から降り口側まで連続するように配列されている。
【００１２】
また、一対の欄干６は、踏段３の横幅方向の両側で対向して立設され、複数の欄干パネル７を主な構成に有している。そして、一対の欄干６のそれぞれに配設された欄干パネル７は、踏段３の横幅方向に踏段３の側面から所定の距離をあけ、乗り口側から降り口側まで連続するように立設されている。
また、一対の移動手摺９のそれぞれが、一対の欄干パネル７のそれぞれの周縁を踏段３と同期して走行している。
【００１３】
内デッキ１０は、複数の内デッキ単体１１により構成されている。そして、内デッキ単体１１のそれぞれは、相対する一方の縁部が欄干パネル７のそれぞれの下縁側に配置され、他方の縁部がスカートガード４のそれぞれの上縁との間に踏段３側に開口する照射口１６を形成するように乗り口側から降り口側まで連続して配設されている。
【００１４】
また、スカート照明装置２１は、透光性を有する複数の照明カバー２２を有している。そして、照明カバー２２が、照射口１６を覆うように乗り口側から降り口側まで連続するように配列されている。詳細は後述するが、スカート照明装置２１は、照射口１６から踏段３を照らすことが可能になっている。
【００１５】
次いで、スカートガード４及び内デッキ１０の内部とスカート照明装置２１について詳細に説明する。
図２において、スカートガード単体５の上縁は踏段３の上面より上方に延出されている。また、スカートガード支持ボルトとしての第１のスタッドボルト５ａが、スカートガード単体５の上縁側の裏面（踏段３とは反対側のスカートガード単体５の上縁側の壁面）から突出するように溶接されている。
【００１６】
また、欄干パネル保持部材８が、スカートガード単体５のそれぞれから踏段３の横幅方向に所定の距離だけ離間した場所で、図示しないボルトなどで強固に主枠２に固定されている。そして、欄干パネル保持部材８は、乗り口側から降り口側まで連続するように立設されている。そして、欄干パネル７のそれぞれが、欄干パネル保持部材８に支持されている。
さらに、内デッキ支持部材１２が、欄干パネル７の踏段３側で、欄干パネル保持部材８の上縁部と欄干パネル７の下部側とを接続するように、欄干パネル保持部材８に固定されている。
そして、詳細は後述するが、内デッキ単体１１の一方の縁部側が内デッキ支持部材１２に固定されている。また、クリップ体３５Ａが内デッキ単体１１の他方の縁部側の裏面に配設されている。
【００１７】
スカート照明装置２１は、照明カバー２２、スカートガード支持体２６、空間部形成部材としての板状部材２７、照明ケース２８、カバー位置決め部材としてのカバー位置固定板３１、ランプホルダ３６、及び発光体としてのランプ３７をそれぞれ複数有している。
【００１８】
スカートガード支持体２６は、スカートガード単体５の上縁側の裏面に密接して配置された立設部２６ｂ、及び立設部２６ｂの下端から立設部２６ｂに垂直に突出する固定部２６ａを有し、概略断面Ｌ字状に形成されている。そして、固定部２６ａがボルトナット１４ａで主枠２に固定されている。また、スカートガード支持体２６は、乗り口側から降り口側まで連続するように配列されている。
【００１９】
また、板状部材２７が、その一面を立設部２６ｂの裏面（スカートガード単体５と反対側の面）に合わせて立設部２６ｂに溶接などで固着されている。そして、板状部材２７の上縁側は、立設部２６ｂの上縁から延出されている。このとき、板状部材２７の上縁は、スカートガード単体５のそれぞれの上縁と同じ高さ位置となっている。即ち、下部挿入空間部３２が、立設部２６ｂの上縁からさらに延出された板状部材２７の部位とスカートガード単体５の上縁側との間に形成されている。また、立設部２６ｂ及び板状部材２７のそれぞれは、それぞれの上縁に開口する割り穴（図示せず）を有し、前述の第１のスタッドボルト５ａが、それぞれの割り穴に挿通されている。
【００２０】
そして、スカートガード支持ナットとしての第１のナット１５ａが、第１のスタッドボルト５ａに螺着されている。即ち、上記スカートガード４の上縁側は、スカートガード支持体２６及び板状部材２７の上縁に開口する割り穴に挿通された第１のスタッドボルト５ａ及び第１のスタッドボルト５ａに螺着された第１のナット１５ａによってスカートガード支持体２６に支持されている。
【００２１】
また、照明ケース２８のそれぞれは、ケース本体２９及び取付部３０により構成されている。ケース本体２９は、スカートガード単体５に平行に配置された底辺２９ａと、底辺２９ａの両端から踏段３に向かって底辺２９ａに垂直に突出される上部側辺２９ｂおよび下部側辺２９ｃと、を有している。そして、開放部２９ｄが、上部側辺２９ｂ及び下部側辺２９ｃの間に形成されている。
また、取付部３０が、上部側辺２９ｂの先端を、垂直に下部側辺２９ｃと反対側に折り曲げて形成されている。そして、照明ケース２８は、開放部２９ｄを照射口１６に合わせ、取付部３０が上部側辺２９ｂから上方に延出されるように乗り口側から降り口側まで連続するように配列されている。
【００２２】
そして、ケース本体２９のそれぞれの下部側辺２９ｃが、スカートガード支持体２６の固定部２６ａとともにボルトナット１４ｂにより主枠２に固定されている。また、取付部３０は、図３に示されるように、照明ケース２８の踏段３の移動方向に所定の間隔おきに所定の幅だけ省略されている。そして、踏段３側に開口する切り欠き２９ｅが、取付部３０の省略位置に対応する上部側辺２９ｂの部位に形成されている。
【００２３】
次いで、カバー位置固定板３１について説明する。
図３及び図４において、カバー位置固定板３１は、その一面を上部側辺２９ｂの上面（ケース本体２９の上面）に合わせ、カバー本体２３の裏面に向かって上部側辺２９ｂから切り欠き２９ｅ内に突出するように上部側辺２９ｂ上に載置されている。そして、カバー位置固定板３１は、ねじ３９により、上部側辺２９ｂの上面に固定されている。なお、切り欠き２９ｅは、上述したように踏段３の移動方向に所定の間隔で形成されるので、カバー位置固定板３１も踏段３の移動方向に所定の間隔で配設されている。
さらに、カバー位置固定板３１の突出端側には、カバー本体２３の裏面に向けて開口する嵌合凹部３１ａが形成されている。また、カバー位置固定板３１の突出端面は、取付部３０の踏段３側の壁面と略面一になっている。
【００２４】
また、ねじ３９が挿通されたカバー位置固定板３１の挿通穴３１ｂの外形は、図３に示されるように長径が、踏段３の移動方向に所定の長さを有する楕円状に形成されている。即ち、カバー位置固定板３１は、ねじ３９を緩めれば、踏段３の移動方向に移動可能になっている。
【００２５】
また、図２において、弾性を有するランプホルダ３６が、踏段３の移動方向に所定の間隔で照明ケース２８の底辺２９ａに固定されている。ランプホルダ３６は、底辺２９ａから相対するように延出された一対のアーム部３６ａを有している。
【００２６】
ランプ３７は、例えば、両端に口金（図示せず）を有する長尺の蛍光放電管が用いられる。そして、口金ピン（図示せず）には、上部側辺２９ｂに固定された図示しない安定器の二次側トランスからケーブル３８を介して給電するためのランプソケット（図示せず）が接続されている。そして、ランプ３７は、各ランプホルダ３６のアーム部３６ａ間に挟みこまれて所定位置に保持されている。このとき、複数のランプ３７が、踏段３の移動方向に長手方向を合わせ、互いに極力接近するように乗り口側から降り口側に至るまで一列に配置されている。
【００２７】
前述したように、内デッキ単体１１は、内デッキ単体１１の一方の縁部側が内デッキ支持部材１２に合わせられて、ねじ１７により固定されている。そして、ねじ１７は、軸心を斜め上方に合わせて螺合されている。このとき、内デッキ単体１１のそれぞれは、相対する一方の縁部が欄干パネル７のそれぞれの下縁側に配置されている。
【００２８】
そして、内デッキ単体１１は、一方の縁部から踏段３側に向かって下方に傾斜し、照明ケース２８の上方を覆う天板部１１ａと、内デッキ単体１１の他方の縁部側を、当該縁部がスカートガード単体５の上縁と対峙するように折り曲げて形成した側壁部１１ｂとにより構成されている。このとき、側壁部１１ｂとスカートガード単体５とは同一面上に配置され、さらに、側壁部１１ｂは、取付部３０と所定の間隔を隔てて対面している。また、クリップ体支持ボルトとしての第２のスタッドボルト１１ｃが側壁部１１ｂの裏面に溶接され、側壁部１１ｂの裏面から水平に突出されている。このとき、第２のスタッドボルト１１ｃは、側壁部１１ｂの下縁部から所定の距離だけ上方に離れた場所に配置されている。
【００２９】
また、クリップ体３５Ａは、長尺柱状に形成されている。そして、クリップ体３５Ａは、その長手方向を踏段３の移動方向に合わせ、側壁部１１ｂの踏段３の移動方向全域に延在するように側壁部１１ｂの裏面に固定されている。そして、図示しない貫通孔が、側壁部１１ｂに溶接された第２のスタッドボルト１１ｃの配置位置に合わせてクリップ体３５Ａに形成されている。そして、クリップ体３５Ａは、貫通孔に挿通した第２のスタッドボルト１１ｃに螺合されたクリップ体支持ナットとしての第２のナット１５ｂによって側壁部１１ｂに締め付け固定されている。また、クリップ体３５Ａの下面に開口し、溝方向を踏段３の移動方向とする差込溝部３５ａが、クリップ体３５Ａの長手方向全域に形成されている。
【００３０】
そして、照明ケース２８の取付部３０が差込溝部３５ａの内壁に密着するように差込溝部３５ａに差し込まれている。このとき、クリップ体３５Ａの下縁部は、取付部３０及び内デッキ単体１１のそれぞれの下縁部までは延在しておらず、上部挿入空間部３３が、取付部３０と内デッキ単体１１の側壁部１１ｂとの間に形成されている。
【００３１】
また、図２及び図３において、照明カバー２２は透光性を有する樹脂により形成されて、カバー本体２３、及び嵌合部材としての隙間塞口板２４を有している。
カバー本体２３は、相対する縁部の一方の側に形成された上部差込部２３ｂ、相対する縁部の他方の側に形成された下部差込部２３ｃ、及び上部差込部２３ｂと下部差込部２３ｃとの間に形成された中間部２３ａを有している。
そして、上部差込部２３ｂ及び下部差込部２３ｃは、中間部２３ａの厚さに比べて厚さが薄く、カバー本体２３は断面凸状に形成されている。
【００３２】
このとき、カバー本体２３は、中間部２３ａと下部差込部２３ｃとの間は、ステップ状に厚さが厚くなるように形成されている。また、傾斜部２３ｄが、中間部２３ａと上部差込部２３ｂとの間を所定の角度で接続するように形成されている。
【００３３】
そして、カバー本体２３は、図２に示されるように凸部が照射口１６に露出されるように、上部差込部２３ｂ及び下部差込部２３ｃのそれぞれを、上部挿入空間部３３及び下部挿入空間部３２のそれぞれに差し込んで配設されている。即ち、カバー本体２３は、上部差込部２３ｂが上部縁部側を形成し、下部差込部２３ｃが下部縁部側を形成するように配置されている。
【００３４】
そして、カバー本体２３は、中間部２３ａと下部差込部２３ｃとの間の段差部がスカートガード単体５の上縁部に当接されており、照明カバー２２がスカートガード単体５の上部で支持されている。このとき、傾斜部２３ｄの上縁は、側壁部１１ｂの下縁部の間近に配置されている。さらに、所定の隙間が上部差込部２３ｂの上端とクリップ体３５Ａの下端との間に形成されている
【００３５】
また、図３に示されるように、隙間塞口板２４は、カバー本体２３の踏段３の移動方向の一方の側縁から踏段３の移動方向に延出されるようにカバー本体２３の裏面に固定されている。このとき、隙間塞口板２４は、上部差込部２３ｂから下部差込部２３ｃに至る大きさを有している。そして、隙間塞口板２４が、カバー位置固定板３１の嵌合凹部３１ａに嵌め合わされている。
なお、照明カバー２２のそれぞれの隙間塞口板２４が、カバー位置固定板３１のそれぞれの嵌合凹部３１ａに嵌め合わされ、照明カバー２２は踏段３の移動方向に配列されている。即ち、各照明カバー２２の踏段３の移動方向の位置が、カバー位置固定板３１の配置位置により決定されている。このとき、所定の隙間３４が隣接するカバー本体２３間に形成されている。
【００３６】
また、隣接するカバー本体２３において、一方のカバー本体２３における踏段３の移動方向の一方の側縁から延出される隙間塞口板２４の部位は、他方のカバー本体２３における踏段３の移動方向の他方の縁部側に覆われている。即ち、隙間塞口板２４は、隣接するカバー本体２３の裏面間にまたがって配置されており、隣接するカバー本体２３間の隙間３４が隙間塞口板２４によって覆われている。このとき、カバー本体２３の中間部２３ａ、スカートガード単体５、及び内デッキ単体１１の側壁部１１ｂのそれぞれの表面は略面一となっている。
【００３７】
そして、このように構成されたスカート照明装置２１のランプ３７から発せられる光は、照射口１６を覆う照明カバー２２を介して踏段３を照らすようになっている。また、照明カバー２２を透過した光は、乗客の目に優しい淡い光となる。
【００３８】
次いで、隣接する照明カバー２２のカバー本体２３間に所定の隙間３４をあけて配設し、かつ、隙間塞口板２４で所定の隙間３４を塞口することにより得られる利点について述べる。
【００３９】
所定の隙間３４は、照明カバー２２のカバー本体２３における踏段３の移動方向の長さ、周囲の温度変化の大きさ、カバー本体２３の線膨張係数を考慮して決定されている。
例えば、メタクリル樹脂が照明カバー２２の材料として用いられた場合、その線膨張係数は７×１０−５［１／ｄｅｇ］である。また、カバー本体２３の踏段３の移動方向の長さが１０００［ｍｍ］、及び周囲温度の最大変化量が４０［ｄｅｇ］であるとする。このとき、熱収縮または熱膨張によるカバー本体２３の最大の伸縮量は、１０００×４０×７×１０−５≒約３ｍｍ程度となる。そして、隣接する照明カバー２２は、カバー本体２３間が各カバー本体２３の最大の伸縮量より大きい所定の隙間３４をあけて配列されている。
【００４０】
ここで、カバー本体２３の周囲温度が上昇すると、照明カバー２２のそれぞれが熱膨張する。仮に、カバー本体２３が隙間なく配列された後に熱膨張した場合、隣接するカバー本体２３の端面同士が押圧状態に密接されて、照明カバー２２を外せなくなる問題が発生する。また、カバー本体２３の周囲温度が低下すると、照明カバー２２は熱収縮する。仮に、隣接するカバー本体２３が隙間なく配列された後に熱収縮した場合、隣接するカバー本体２３間に隙間が生じる。このとき、隙間塞口板２４がカバー本体に取り付けられていない場合には、隙間から直接ランプ３７の光が乗客に照射されて、眩しさを感じる乗客に不快感を与えるという問題が発生する。また、ごみが、隣接するカバー本体２３間の隙間からスカートガード４内に入り込むという問題が発生する。
【００４１】
しかし、本実施の形態では、隣接する照明カバー２２のカバー本体２３間には、所定の隙間３４があけられているので、照明カバー２２が外せなくなるということが未然に防止される。しかも、隙間塞口板２４が隣接するカバー本体２３間の所定の隙間３４を塞口するようにカバー本体２３にそれぞれ配設されているので、ランプ３７の光が直接踏段３に漏れることが未然に防止される。即ち、ランプ３７の光が直接乗客に照射されて、乗客に不快感を抱かせることを未然に防止できる。また、ごみがスカートガード４内に入り込んだりすることが未然に防止される。
【００４２】
なお、隙間塞口板２４も周囲の温度変化により熱収縮や熱膨張するが、踏段３方向の長さが短く、隙間塞口板２４の収縮及び膨張量は小さいので、嵌合凹部３１ａと隙間塞口板２４との間の隙間は僅かにあいていればよい。従って、照明カバー２２の踏段３の移動方向に力が加えられても、照明カバー２２は踏段３の移動方向に殆ど移動されない。
【００４３】
次いで、スカートガード４、照明カバー２２、内デッキ１０の着脱方法について説明する。
まず、スカートガード４の着脱方法について図５を参照しつつ説明する。
スカートガード４の着脱は、照明カバー２２を除く照明ケース２８やランプ３７等のスカート照明装置２１の構成が事前に配設され、さらに、内デッキ１０は取り外された状態で行われる。
【００４４】
スカートガード４を取り付ける場合、まず、スカートガード単体５のそれぞれを第１のスタッドボルト５ａが踏段３側と反対に突出されるように配置する。そして、第１のスタッドボルト５ａをスカートガード支持体２６及び板状部材２７に形成された割り穴に挿通させ、スカートガード単体５の下縁部側を主枠２に固定する（図示せず）。さらに、第１のスタッドボルト５ａの先端から第１のナット１５ａを締め付け、スカートガード単体５の上縁部側をスカートガード支持体２６に支持させる。なお、第１のナット１５ａは、開放部２９ｄにスパナ４１を入れて容易に締め付けることができる。
【００４５】
また、スカートガード４を取り外すときには、主枠２とスカートガード単体５のそれぞれの下縁側との固定を予め解除する。さらに、開放部２９ｄにスパナ４１を入れ、第１のナット１５ａを緩める。第１のスタッドボルト５ａは、スカートガード支持体２６及び板状部材２７のそれぞれの上縁に開口する割り穴に挿通されているので、スカートガード単体５のそれぞれを順次上方に引き抜けば、スカートガード４を取り外すことができる。
【００４６】
スカートガード４の内部には、保守点検頻度の多い手摺ガイド、及び移動手摺９を移動させるための駆動装置（図示せず）などが格納されている。上記のように、スカートガード単体５の裏面から突出された第１のスタッドボルト５ａは、スカートガード支持体２６の立設部２６ｂ及び板状部材２７の割り穴に挿通されているので、スカートガード単体５のそれぞれは、照明カバー２２以外のスカート照明装置２１の構成を取り外すことなく、着脱することができる。従って、手摺ガイド、及び移動手摺９を移動させるための駆動装置など、スカートガード４の内部に配置された装置や部品の保守点検を容易に行うことができる。
【００４７】
次いで照明カバー２２の着脱について図６を参照しつつ説明する。
まず、照明カバー２２の取付方法について説明する。
照明カバー２２の取り付け前に、前述の照明ケース２８、ランプ３７等、スカート照明装置２１の他の構成は予め配設されている。
【００４８】
そして、カバー本体２３を、下部差込部２３ｃを下方に向け、かつ凸側が照射口１６に露出される向きに配置する。そして、カバー本体２３の裏面に取り付けられた隙間塞口板２４を嵌合凹部３１ａに上方から差し込んで下方にスライド移動させ、下部挿入空間部３２に下部差込部２３ｃを差し込む。このとき、カバー位置固定板３１は、隣接する照明カバー２２が所定の隙間３４をあけて配設されるように、上部側辺２９ｂにねじ３９によって予め固定されている。なお、カバー本体２３の配設後にも、ねじ３９を緩めることによりカバー位置固定板３１及びカバー本体２３は、楕円に形成された挿通穴３１ｂの長軸方向に移動可能である。即ち、カバー本体２３の配設後にも、所定の隙間３４は調整可能である。
【００４９】
そして、順次、照明カバー２２を、隣接するカバー本体２３間に所定の隙間３４をあけて、乗り口側から降り口側に連続するように配置させることにより、照明カバー２２の取り付けが完了する。
なお、照明カバー２２は、内デッキ１０が配設されていないときに上方に引き上げるだけで容易に取り外すことができる。
【００５０】
次いで、内デッキ１０の取り外しについて図７を参照しつつ説明する。
内デッキ１０の着脱は照明カバー２２が取り付けられた状態で行われる。
まず、内デッキ１０を取り付けるときは、内デッキ単体１１の天板部１１ａの縁部を内デッキ支持部材１２にあわせ、側壁部１１ｂに取り付けられたクリップ体３５Ａの差込溝部３５ａと照明ケース２８の取付部３０とを嵌合させるように内デッキ単体１１を下方に押しこむ。なお、内デッキ単体１１を乗り口側から降り口側まで連続するように順次取り付ける。さらに、内デッキ単体１１の側壁部１１ｂとは反対側の縁部をねじ１７により内デッキ支持部材１２に固定することにより、内デッキ１０の取り付けが完了する。
【００５１】
内デッキ１０の取り外しは、まず内デッキ単体１１のそれぞれに螺合されたねじ１７を外す。そして、直方体状の樹脂ブロック４２の一端側を、カバー本体２３の傾斜部２３ｄに合わせて側壁部１１ｂの下縁部に下方からあてがう。さらに、ハンマ４３などで、樹脂ブロック４２の他端を下方から叩くことによって、クリップ体３５Ａの差込溝部３５ａと取付部３０との間の差込状態を解除することができる。即ち、内デッキ単体１１を取り外すことができる。全ての内デッキ単体１１を同様に取り外して内デッキ１０の取り外しが完了する。
【００５２】
このように、カバー本体２３の傾斜部２３ｄの上縁が、側壁部１１ｂの下縁部の間近に配置されているので、取付部３０がクリップ体３５Ａの差込溝部３５ａに密接に挿入されて外れにくい場合でも、樹脂ブロック４２とハンマ４３を用いて容易に内デッキ１０を取り外すことができる。また、照明カバー２２の傾斜部２３ｄは、踏段３側に露出して上部差込部２３ｂから中間部２３ａに向かって下方に傾斜されているので、上部差込部２３ｂと中間部２３ａとの間の段差に塵埃がたまりにくくなる。
【００５３】
この実施の形態１によれば、クリップ体３５Ａが内デッキ単体１１の側壁部１１ｂのそれぞれの裏面（内デッキ１０の他方の縁部側の裏面）に第２のスタッドボルト１１ｃと第２のナット１５ｂにより固定され、さらにクリップ体３５Ａには下面に開口する差込溝部３５ａが形成されている。そして、照明ケース２８の取付部３０が差込溝部３５ａに挿入されている。これにより、内デッキ１０の他方の縁部側が、照明ケース２８に支持される。また、スカートガード支持体２６がスカートガード単体５に溶接された第１のスタッドボルト５ａを支持することによりスカートガード単体５それぞれの上縁側を支持している。
そして、下部差込部２３ｃ及び上部差込部２３ｂのそれぞれが下部挿入空間部３２及び上部挿入空間部３３のそれぞれに挿入され、照射口１６が照明カバー２２に覆われている。
【００５４】
従って、スカート照明装置２１が踏段３側に頭部を露出するねじを用いることなく配設されているので、踏段３上方の空間に突出されたねじに乗客の荷物が引っかかることを未然に防止することができる。
なお、ねじ１７は、表面に頭部が露出しているが、斜め上方に軸心を合わせて螺合されており、また、踏段３上部の空間から離れた位置にあるので、万一、ねじ１７が緩んだ場合でも、踏段３上部の空間に突出されることはない。
【００５５】
また、照明カバー２２の上端とクリップ体３５Ａの下端との間には所定の隙間が形成されているので、乗客が悪戯により内デッキ１０の上に乗るなどしても照明カバー２２に荷重を受けて破損することが防止される。
【００５６】
実施の形態２．
図８はこの発明の実施の形態２に係るエスカレータの踏段３の横幅方向の一側周辺の断面図であり、図２に相当している。
エスカレータ１Ｂは、内デッキ１０の側壁部１１ｂの裏面に取り付けられたクリップ体３５Ｂを有している。
なお、クリップ体３５Ｂは、その長手方向を踏段３の移動方向に合わせ隙間なく連結されている。そして、クリップ体３５Ｂのそれぞれは、踏段３の移動方向に垂直な断面において、下端側の踏段３側の角部が切りか欠かれている。そして、クリップ体３５Ｂの下端側の残りの部位が、溝部形成片３５ｃを形成し、また、クリップ体３５Ｂの切り欠き部位が、側壁部１１ｂにより覆われている。そして、下方に向けて開口し溝方向を踏段３の移動方向とする差込溝部３５ｂが、溝部形成片３５ｃと側壁部１１ｂとの間に形成されている。さらに、カバー本体２３の上部差込部２３ｂ及び照明ケース２８の取付部３０が差込溝部３５ｂにそれぞれ密接するように挿入されている。
なお、他の構成は上記実施の形態１と同様である。
【００５７】
この実施の形態２によれば、クリップ体３５Ｂが内デッキ単体１１の側壁部１１ｂのそれぞれの裏面（内デッキ１０の他方の縁部側の裏面）に第２のスタッドボルト１１ｃと第２のナット１５ｂにより固定されている。そして、クリップ体３５Ｂは、下端側の踏段３側の角部が切りか欠かれ、クリップ体３５Ｂの下端側の残りの部位が溝部形成片３５ｃとなっている。そして、クリップ体３５Ｂの溝部形成片３５ｃと側壁部１１ｂの裏面とで差込溝部３５ｂが形成されている。さらに、取付部３０及びカバー本体２３の上部差込部２３ｂが差込溝部３５ｂの内壁にそれぞれ密接するように差し込まれている。
従って、実施の形態１と同様に、スカート照明装置２１が踏段３側に頭部を露出するねじを用いることなく配設されているので、踏段３上方の空間に突出されたねじに乗客の荷物が引っかかることを未然に防止することができる。
【００５８】
なお、各実施の形態では、複数のスカートガード支持体２６が乗り口側から降り口側に至るまで連続するように配設されるものとして説明したが、複数のスカートガード支持体２６は、隙間なしに連続するように配設するものに限定されず、踏段３の移動方向に所定の間隔で配設されているものでもよい。
【００５９】
また、照明ケース２８、及び複数のクリップ体３５Ａ，３５Ｂが乗り口側から降り口側まで連続するように配設されるものとして説明したが、照明ケース２８、及び複数のクリップ体３５Ａ，３５Ｂは、乗り口側から降り口側まで連続するように配設されるものに限定されず、踏段３の移動方向に所定の間隔で配設されているものでもよい。
また、ランプ３７は、極力接近するように乗り口側から降り口側に至るまで一列に配置されるものとして説明したが、ランプ３７は極力接近するように乗り口側から降り口側に至るまで一列に配置されるものに限定されず、所定の間隔を置いて乗り口と降り口の間に配設されているものでもよい。
【００６０】
また、空間部形成部材としての板状部材２７は、スカートガード支持体２６の立設部２６ｂに固定されるものとして説明したが、空間部形成部材はスカートガード支持体２６の立設部２６ｂに固定されるものに限定されない。空間部形成部材は、スカートガード単体５との間に下部挿入空間部３２を形成するように、スカートガード単体５のそれぞれの裏面に固定されるものでもよい。
【００６１】
また、クリップ体３５Ａ，３５Ｂは、第２のスタッドボルト１１ｃと第２のナット１５ｂを用いて内デッキ単体１１の裏面に固定されるものとして説明したが、クリップ体３５Ａ，３５Ｂは、内デッキ単体１１の裏面に接着剤を用いて固定してもよい。
【００６２】
また、嵌合部材としての隙間塞口板２４は、透光性であるものとして説明したが、必ずしも透光性である必要はなく、ランプ３７による踏段３への照射範囲に問題がなければ遮光性部材で形成されていてもよい。
また、乗客コンベアとして、エスカレータ１Ａ，１Ｂを例に挙げて説明したが、乗客コンベアとしての動く歩道にも本発明を適用できる。
【図面の簡単な説明】
【００６３】
【図１】この発明の実施の形態１に係るエスカレータの斜視図である。
【図２】図１のＩＩ−ＩＩ矢視断面図である。
【図３】図２のＩＩＩ−ＩＩＩ矢視断面図である。
【図４】図３のＩＶ−ＩＶ矢視断面図である。
【図５】この発明の実施の形態１に係るエスカレータのスカートガードの着脱方法を説明する断面図である。
【図６】この発明の実施の形態１に係るエスカレータの照明カバーの取付方法を説明する断面図である。
【図７】この発明の実施の形態１に係るエスカレータの内デッキの着脱方法を説明する断面図である。
【図８】この発明の実施の形態２に係るエスカレータの踏段３の横幅方向の一側周辺の断面図である。
【符号の説明】
【００６４】
１Ａ，１Ｂ  エスカレータ（乗客コンベア）、２  主枠、３  踏段、４  スカートガード、５ａ  第１のスタッドボルト（スカートガード支持ボルト）、７  欄干パネル、１０  内デッキ、１１ｃ  第２のスタッドボルト（クリップ体支持ボルト）、１５ａ  第１のナット（スカートガード支持ナット）、１５ｂ  第２のナット（クリップ体支持ナット）、１６  照射口、２１  スカート照明装置、２２  照明カバー、２３  カバー本体、２３ａ  中間部、２３ｂ  上部差込部（上部縁部）、２３ｃ  下部差込部（下部縁部）、２３ｄ  傾斜部、２４  隙間塞口板（嵌合部材）、２６  スカートガード支持体、２７  板状部材（空間部形成部材）、２８  照明ケース、２９  ケース本体、２９ｄ  開放部、３０  取付部、３１ａ  嵌合凹部、３２  下部挿入空間部、３３  上部挿入空間部、３５Ａ，３５Ｂ  クリップ体、３５ａ，３５ｂ  差込溝部、３７  ランプ（発光体）。
【図１】
0005174387.tif 000002
【図２】
0005174387.tif 000003
【図３】
0005174387.tif 000004
【図４】
0005174387.tif 000005
【図５】
0005174387.tif 000006
【図６】
0005174387.tif 000007
【図７】
0005174387.tif 000008
【図８】
0005174387.tif 000009